(57)【特許請求の範囲】
【請求項１】
前面開放式ウエハーキャリアにおいて、
一側面に複数のウエハーの出し入れに供される開口が形成され、該開口の対向する辺縁それぞれに、少なくとも一対の挿入孔が設けられたキャリア本体と、
対向する辺縁それぞれに少なくとも一対の、該少なくとも一対の挿入孔に対応するラッチ孔が配置され、該キャリア本体の該開口に結合され、並びに該キャリア本体内部のこれらウエハーを保護する前面蓋と、
一対のラッチ構造であり、該前面蓋に配置され、各該ラッチ構造は、
第１表面と第２表面を具え、該第１表面に回転部が配置され、該第２表面の中央位置に制動部が配置された円形回転盤と、
該円形回転盤の辺縁上の対向する二端に形成された少なくとも一対の牽引部材と、
一対のスライド装置であって、それぞれ該円形回転盤の辺縁の対向する二側に配置され、各該スライド装置は該円形回転盤に接近する第１端と該第１端に対向する第２端を具え、並びに該第１端にフック状嵌合部とスライド部が形成され、該第２端に少なくとも一つの挿入ラッチが形成され、且つ該挿入ラッチは該前面蓋の該ラッチ孔に対応し、該フック状嵌合部が該牽引部材を係止することで、該スライド装置が該円形回転盤上に嵌め込まれる、上記一対のスライド装置と、
を包含する一対のラッチ構造と、
を包含し、該制動部が該円形回転盤の回転を制御することで、該スライド装置の該挿入ラッチが該少なくとも一対の挿入孔と該少なくとも一対のラッチ孔中を往復させられ、
該前面蓋はケーシングと蓋板を包含し、該ケーシングは凹区域と、二つの第１プラットフォーム及び二つの第２プラットフォームを具え、該凹区域は該ケーシングの外表面の中間に位置し、該二つの第１プラットフォームはそれぞれ該凹区域の両側に位置し並びに該ケーシングの外表面に位置し、該二つの第２プラットフォームは該ケーシングの内表面に位置し並びにそれぞれ該第１プラットフォームに対応し、該一対のラッチ構造はそれぞれ該第２プラットフォームに設置され、該二つの第２プラットフォームにさらに辺壁が配置され、これら二つの辺壁はそれぞれ該一対のラッチ孔より該一対のラッチ構造の周囲を囲み、二つの該辺壁にそれぞれゴムストリップが配置され、該ケーシングと該蓋板が結合させられ、二つの該第２プラットフォームはそれぞれ該前面蓋内で閉じた領域を形成することを特徴とする、前面開放式ウエハーキャリア。
【請求項２】
請求項１記載の前面開放式ウエハーキャリアにおいて、該前面蓋は該ケーシングの外表面で該キャリア本体の該開口と結合し、該円形回転盤の該第１表面は、該ケーシングの内表面に対向し、該円形回転盤の該第２表面は該蓋板に対向することを特徴とする、前面開放式ウエハーキャリア。
【請求項３】
前面開放式ウエハーキャリアにおいて、
一側面に複数のウエハーの出し入れに供される開口が形成され、該開口の対向する辺縁それぞれに、少なくとも一対の挿入孔が設けられたキャリア本体と、
対向する辺縁それぞれに少なくとも一対の、該少なくとも一対の挿入孔に対応するラッチ孔が配置され、該キャリア本体の該開口に結合され、並びに該キャリア本体内部のこれらウエハーを保護する前面蓋と、
一対のラッチ構造であり、該前面蓋に配置され、各該ラッチ構造は、
第１表面と第２表面を具え、該第１表面に回転部が配置され、該第２表面の中央位置に制動部が配置された円形回転盤と、
該円形回転盤の辺縁上の対向する二端に形成された少なくとも一対の牽引部材と、
一対のスライド装置であって、それぞれ該円形回転盤の辺縁の対向する二側に配置され、各該スライド装置は該円形回転盤に接近する第１端と該第１端に対向する第２端を具え、並びに該第１端にフック状嵌合部とスライド部が形成され、該第２端に少なくとも一つの挿入ラッチが形成され、且つ該挿入ラッチは該前面蓋の該ラッチ孔に対応し、該フック状嵌合部が該牽引部材を係止することで、該スライド装置が該円形回転盤上に嵌め込まれる、上記一対のスライド装置と、
を包含する一対のラッチ構造と、
を包含し、該制動部が該円形回転盤の回転を制御することで、該スライド装置の該挿入ラッチが該少なくとも一対の挿入孔と該少なくとも一対のラッチ孔中を往復させられ、
該前面蓋はケーシングと蓋板を包含し、該蓋板にさらに係止構造が配置され、該前面蓋のケーシングの内側周囲にさらに係止溝が配置され、該係止構造は、該前面蓋の該係止溝中に係合し、該前面蓋の辺縁にさらに少なくとも一つのロールが配置され、且つ該ロールは該蓋板と該ケーシングの組合せ後に、該前面蓋の辺縁より突出することを特徴とする、前面開放式ウエハーキャリア。
【請求項４】
請求項１記載の前面開放式ウエハーキャリアにおいて、該ラッチ構造はさらに少なくとも一つの導正構造を包含し、該導正構造は各該スライド装置を、該ラッチ構造に対応する位置の二つの該第２プラットフォーム上で囲み、該導正構造の材質は耐磨耗材質とされることを特徴とする、前面開放式ウエハーキャリア。
【請求項５】
請求項４記載の前面開放式ウエハーキャリアにおいて、該スライド装置にさらに少なくとも一つのスライドロールが配置され、且つ該スライドロールは該導正構造に対応することを特徴とする、前面開放式ウエハーキャリア。
【請求項６】
請求項１記載の前面開放式ウエハーキャリアにおいて、該スライド装置の該挿入ラッチにさらに少なくとも一つのラッチロールが配置されたことを特徴とする、前面開放式ウエハーキャリア。
【発明の詳細な説明】
【技術分野】
【０００１】
本発明は一種の前面開放式ウエハーキャリアに係り、特に、ラッチ構造を具えた前面開放式ウエハーキャリアに関する。
【背景技術】
【０００２】
半導体ウエハーは製造工程中に多くのプロセス或いはステップを有し、ウエハーはこれらのプロセス或いはステップにより、異なる位置及び異なる機器中に置かれる必要がある。このため、製造工程中のウエハーはある場所から別の場所へと運送されなければならず、さらには、ある時間保存されることで、必要な製造工程に組み合わされる。
【０００３】
そのうち、ウエハーカセット（Ｃａｓｓｅｔｔｅ）は、保存と搬送機能を共に具え、並びに各種形式の運輸及び伝送装置に適用される必要があり、これにより、半導体ウエハーの製造工程中に、きわめて重要な役割を果たす。
【０００４】
周知の前面開放式ウエハーキャリアは、キャリア本体と前面蓋を具え、前面蓋はキャリア本体に設置され並びにキャリア本体を閉じ、且つ少なくとも一つのラッチ構造を具えている。各ラッチ構造は、キャリア本体の挿入孔中に挿入可能で、前面蓋とキャリア本体をロックし、これによりウエハーをウエハーキャリア中に収容後に脱落させない。
【０００５】
ただし、ラッチ構造はいずれも複雑な機械構造で構成され、故障率がアップするほか、操作の過程で、過多の機械摩擦が発生し、ウエハーの汚染を形成する。
【発明の概要】
【発明が解決しようとする課題】
【０００６】
上述の問題を解決するため、本発明の目的は、一種の前面開放式ウエハーキャリアを提供することにあり、それは、その前面蓋内のラッチ構造が、円形回転盤を利用してスライド装置を駆動し、ラッチ構造を安定してアンロックとロックさせられ、アンロックとロック時の不必要な振動及び衝突を防止し、並びにロールの移動を利用し、塵埃の発生を防止する。
【課題を解決するための手段】
【０００７】
上述の問題を解決するため、本発明は一種の前面開放式ウエハーキャリアを提供し、それは、
一側面に複数のウエハーの出し入れに供される開口が形成され、該開口の対向する辺縁それぞれに、少なくとも一対の挿入孔が設けられたキャリア本体と、
対向する辺縁それぞれに少なくとも一対の、該少なくとも一対の挿入孔に対応するラッチ孔が配置され、該キャリア本体の該開口に結合され、並びに該キャリア本体内部のこれらウエハーを保護する前面蓋と、
一対のラッチ構造であり、該該前面蓋に配置され、各該ラッチ構造は、
第１表面と第２表面を具え、該第１表面に回転部が配置され、該第２表面の中央位置に制動部が配置された円形回転盤と、
該円形回転盤の辺縁上の対向する二端に形成された少なくとも一対の牽引部材と、
一対のスライド装置であって、それぞれ該円形回転盤の辺縁の対向する二側に配置され、各該スライド装置は該円形回転盤に接近する第１端と該第１端に対向する第２端を具え、並びに該第１端にフック状嵌合部とスライド部が形成され、該第２端に少なくとも一つの挿入ラッチが形成され、且つ該挿入ラッチは該前面蓋の該ラッチ孔に対応し、該フック状嵌合部が該牽引部材を係止することで、該スライド装置が該円形回転盤上に嵌め込まれる、上記一対のスライド装置と、
を包含する一対のラッチ構造と、
を包含し、該制動部が該円形回転盤の回転を制御することで、該スライド装置の該挿入ラッチが該少なくとも一対の挿入孔と該少なくとも一対のラッチ孔中を往復させられる。
【０００８】
本発明は別の一種の前面開放式ウエハーキャリアを提供し、それは、
キャリア本体であって、該キャリア本体の一側面に、複数のウエハーの出し入れに供される開口が形成され、該キャリア本体の開口部分の対向する辺縁にそれぞれ少なくとも一対の挿入孔が配置されている、上記キャリア本体と、
前面蓋であって、該前面蓋の対向する辺縁それぞれに少なくとも一対の、該少なくとも一対の挿入孔に対応するラッチ孔が配置され、該前面蓋は該キャリア本体の該開口に結合され、並びに該キャリア本体内部のこれらウエハーを保護するのに用いられる、上記キャリア本体と、
一対のラッチ構造であって、該前面蓋に配置され、各ラッチ構造は、
第１表面と第２表面を具え、該第１表面に回転部が配置され、該第２表面の中央位置に制動部が配置された円形回転盤と、
該円形回転盤の辺縁上の対向する二端に形成された少なくとも一対の牽引部材と、
一対のスライド装置であって、それぞれ該円形回転盤の辺縁の対向する二側に配置され、各該スライド装置は該円形回転盤に接近する第１端と該第１端に対向する第２端を具え、並びに該第１端にフック状嵌合部とスライド部が形成され、該第２端に少なくとも一つの挿入ラッチが形成され、且つ該挿入ラッチは該前面蓋の該ラッチ孔に対応し、該フック状嵌合部が該牽引部材を係止することで、該スライド装置が該円形回転盤上に嵌め込まれ、該スライド装置上に少なくとも一つのスライドロールが配置された、上記一対のスライド装置と、
を包含する上記一対のラッチ構造と、
制限構造であって、
少なくとも一対の制限軸であって、それぞれ該円形回転盤の該制動部両側に配置された少なくとも一対の制限軸と、
弾性制限フレームであって、一対の、対向する二端に位置する固定部とこれら固定部に接続された制限フレームとを包含し、一対の該固定部は該前面蓋上に固定され、一対の該制限フレームは該少なくとも一対の制限軸に対して該制限フレーム内に制限する、上記弾性制限フレームと、
を包含し、該制動部により該円形回転盤の回転を制御して、該スライド装置の該挿入ラッチに該挿入孔と該ラッチ孔中を往復させる、上記制限構造と、
を包含する。
【発明の効果】
【０００９】
本発明の提供する設計により、ラッチ構造のしっかりしたアンロックとロックの過程中に、アンロックとロック時の不必要な振動と衝突を防止し、並びにロールの移動を利用することで、塵埃の発生を防止する。
【図面の簡単な説明】
【００１０】
【図１】本発明の前面開放式ウエハーキャリアのキャリア本体表示図である。
【図２】本発明の前面蓋分解図である。
【図３】本発明のラッチ構造の表示図である。
【図４】本発明の導正構造の表示図である。
【図５】本発明の制限構造の表示図である。
【図６Ａ】本発明のラッチ構造動作表示図である。
【図６Ｂ】本発明のラッチ構造動作表示図である。
【図６Ｃ】本発明のラッチ構造動作表示図である。
【図７】本発明のゴムストリップ配置の表示図である。
【図８】本発明の蓋板表示図である。
【発明を実施するための形態】
【００１１】
本発明の技術内容、構造特徴、達成する目的を詳細に説明するため、以下に実施例を挙げ並びに図面を組み合わせて説明する。
【００１２】
図１を参照されたい。それは本発明の前面開放式ウエハーキャリアのキャリア本体表示図である。図示されるように、前面開放式ウエハーキャリア１は、後側面１４に一体に接続された左側面１３、右側面１２、上側面１０及び下側面１１で構成されたキャリア本体２を包含し、ゆえに、物品を収容する空間を提供できる。該後側面１４に対向する一側は開口１５とされる。本発明は並びに一つの前面蓋３を包含し、該前面蓋３は該キャリア本体２の開口１５と符合するサイズとされ、該キャリア本体２の開口１５を閉じるのに用いられる。
【００１３】
続いて、図２を参照されたい。それは本発明の前面蓋分解図である。図示されるように、前面蓋３はケーシング３００と蓋板外表面３１０１を備えた蓋板３１０で構成され、該ケーシング３００は該開口１５に対向するケーシング外表面３００１及び該ケーシング外表面３００１に背向するケーシング内表面３００６（図３参照）を包含する。
【００１４】
ケーシング外表面３００１は中間に位置する凹区域３００５と両側にそれぞれ位置する第１プラットフォーム３００８を具え、且つ該凹区域３００５はこれら第１プラットフォーム３００８の間に位置し、且つ該凹区域３００５と各該第１プラットフォーム３００８の間には斜面エリア３００３があり、該斜面エリア３００３と該第１プラットフォーム３００８の連接部分は、該斜面エリア３００３と該凹区域３００５の連接部分より高い。
【００１５】
該ケーシング外表面３００１上に一対の弾性制限構造１００が配置され、該弾性制限構造１００はウエハーキャリア内に置かれるウエハーを制限する。その制限方式については、後で詳細に説明する。
【００１６】
このほか、該ケーシング３００内に、一対のラッチ構造５００が配置され、並びにケーシング３００により蓋板３１０と組み合わされ、該ラッチ構造５００は該前面蓋３中に配置される。
【００１７】
該ラッチ構造５００は挿入ラッチ６００３１を具え、該挿入ラッチ６００３１は、該ケーシング３００上のラッチ孔３００２とキャリア本体２の挿入孔１０７に対応する（図１参照）。
【００１８】
図３を参照されたい。それは本発明のラッチ構造の表示図である。図示されるように、該ケーシング内表面３００６上に、二つの、それぞれ両側に位置する第２プラットフォーム３００７があり、各該第２プラットフォーム３００７はそれぞれ各該第１プラットフォーム３００８と背向し、各該第２プラットフォーム３００７内部にラッチ構造５００が配置される。
【００１９】
該ラッチ構造５００は、該ケーシング３００内部に対向する第１表面５００１１と該蓋板３１０に対向する第２表面５００１３を具え、該第１表面５００１１上に回転部５００２が配置され、該第２表面５００１３の中央位置に制動部５００３が配置された円形回転盤５００１と、該円形回転盤５００１の辺縁上の対向する二端に形成された一対の牽引部材５００４と、一対のスライド装置６００であって、該円形回転盤５００１の辺縁の対向する二側に形成され、各該スライド装置６００は該円形回転盤５００１に接近する第１端６００１と、該第１端６００１に対向する第２端６００３を具え、該第１端６００１にフック状嵌合部６００１１とスライド部６００１３が形成され、該第２端６００３に挿入ラッチ６００３１が形成され、且つ該挿入ラッチ６００３１は該前面蓋３のラッチ孔３００２に対応する、上記一対のスライド装置６００と、を包含する。
【００２０】
該フック状嵌合部６００１１は該牽引部材５００４を係止し、これによりスライド装置６００が円形回転盤５００１上に嵌め込まれる。
【００２１】
該牽引部材５００４は軸受装置とされ得るが、それに限定されるわけではなく、並びに牽引部材５００４にさらにスナップリング５００５を加えて、該牽引部材５００４を制限することで牽引部材５００４の脱落を防止してもよい。
【００２２】
該挿入ラッチ６００３１の末端には、複数のラッチロール６００３３が配置され、該挿入ラッチ６００３１がキャリア本体２の挿入孔１０７に挿入される時、ロールの滑り込みにより、引っ掛かりを防止できる。
【００２３】
このほか、該スライド装置６００上に第１スライドロール６００５及び第２スライドロール６００７が配置される。ここで強調すべきことは、本発明の実施例によると、スライド装置６００上に第１スライドロール６００５と第２スライドロール６００７が配置されるが、本発明はスライドロールの数量に制限を設けていない。
【００２４】
該第１スライドロール６００５の位置上に、第１導正構造７００が配置され、該第２スライドロール６００７の位置上に、第２導正構造７１０が配置される。該第１導正構造７００と該第２導正構造７１０は、該第２プラットフォーム３００７内部に設けられて、各該スライド装置６００を、ラッチ構造５００がある位置の該第２プラットフォーム３００７上を囲み、それによりラッチ構造５００のスライド装置６００が左右に揺動しないようにし、該第１導正構造７００と該第２導正構造７１０の材質は耐磨耗の材質とされる。
【００２５】
続いて、図４を参照されたい。図４は本発明の導正構造の表示図である。図４に示されるように、第１導正構造７００の下方に第１軌道７００１が設けられ、該第１軌道７００１に対向するように該第１軌道７００１の上方に第１挟持板７００３が設けられ、該第１挟持板７００３は該第１スライドロール６００５を第１軌道７００１上に挟持し、これにより第１スライドロール６００５の左右揺動を防止する。
【００２６】
第２導正構造７１０の上方には第２軌道７１０１が設けられ、該第２軌道７１０１の下方に該第２軌道７１０１に対向するように第２挟持板７１０３が設けられ、該第２挟持板７１０３は第２スライドロール６００７を該第２軌道７１０１上に挟持し、これにより、該第２スライドロール６００７の左右揺動を防止する。
【００２７】
ここで強調しておくべきことは、以下のとおりである。本発明は第１導正構造７００下方の第１軌道７００１及び第２導正構造７１０上方の第２軌道７１０１によりスライド装置６００の左右揺動を防止するが、本発明は軌道数及び位置に制限を加えず、第１導正構造７００及び第２導正構造７１０の上方と下方のいずれにも軌道を設置するのもまた本発明の実施例とされる。
【００２８】
続いて、図５を参照されたい。それは本発明の制限構造表示図である。図示されるように、ラッチ構造５００にさらに制限構造８００が配置される。該制限構造８００は、該円形回転盤５００１の制動部５００３の両側にそれぞれ配置された一対の制限軸８００１、対向する二端に位置する固定部８００３１と該固定部８００３１にそれぞれ接続された一対の制限フレーム８００３３を具える弾性制限フレーム８００３を具えている。
【００２９】
一対の該固定部８００３１はラッチ構造５００がある位置の該第２プラットフォーム３００７上に固定され、一対の該制限フレーム８００３３は一対の該制限軸８００１を該弾性制限フレーム８００３内に制限する。そのうち、該制限フレーム８００３３は湾曲弾性構造とされる。このほか、制限軸８００１にスナップリング８００５を加えて、制限軸８００１を制限し、制限軸８００１の脱落を防止してもよい。
【００３０】
続いて、図６Ａから図６Ｃを参照されたい。これらは、本発明のラッチ構造動作表示図である。
【００３１】
まず、図６Ａに示されるように、前面蓋３がキャリア本体２にロックされる時、スライド装置６００の挿入ラッチ６００３１は、ケーシング３００上のラッチ孔３００２をとおり挿入孔１０７に挿入される。このとき、牽引部材５００４はスライド部６００１３の位置に位置し、牽引部材５００４はスライド部６００１３を押圧して、スライド装置６００をしっかりと挿入孔１０７に嵌め込み、制限軸８００１は制限フレーム８００３３の湾曲弾性構造の位置Ｘに係止される。
【００３２】
続いて、図６Ｂに示されるように、前面蓋３を開放する時、アンロック手段（図示されず）を、円形回転盤５００１の制動部５００３に挿入し、時計周りに回転させる。このとき、円形回転盤５００１上に位置する制限軸８００１も一緒に回転し、位置Ｙの時に、制限フレーム８００３３を押し開くことができる。制限フレーム８００３３自身は一定の弾性を有するが、また一定の堅固性も有し、これにより、制限軸８００１が位置Ｘに係止される時、制限軸８００１は制限フレーム８００３３自身の堅固性により位置ずれしない。アンロック手段（図示せず）で円形回転盤５００１が回される時、制限軸８００１は外力により弾性の制限フレーム８００３３を押し開くが、制限フレーム８００３３を損壊することはない。
【００３３】
さらに、図６Ｃに示されるように、前面蓋３を開ける時は、円形回転盤５００１を時計周りに４５度回転させると、牽引部材５００４がスライド部６００１３に沿ってフック状嵌合部６００１１の位置に滑り込み、スライド装置６００を牽引して内縮させ、挿入ラッチ６００３１をキャリア本体２の挿入孔１０７より滑り出させ、前面蓋３のラッチ構造５００とキャリア本体２を分離させる。制限軸８００１は位置Ｘから位置Ｙをとおり位置Ｚに移動し、制限フレーム８００３３は元来の制限のサイズに弾性回復し、制限軸８００１は位置Ｚの位置に係止される。
【００３４】
図７は本発明のゴムストリップ配置の表示図である。図示されるように、ケーシング３００の第２プラットフォーム３００７上に、さらに辺壁３００４が配置され、ラッチ孔３００２部分よりラッチ構造５００周囲を囲み、並びに辺壁３００４上にゴムストリップ３００７１が配置される。ケーシング３００と蓋板３１０が結合させられた後、第２プラットフォーム３００７の外周に配置されたゴムストリップ３００７１により緊密に蓋板３１０に当接し、これにより、第２プラットフォーム３００７はケーシング３００のその他の部位と隔離されて、閉じた領域を形成し、僅かにケーシング３００のラッチ孔３００２が閉じられていない。
【００３５】
前面開放式ウエハーキャリア１を使用する時は、不断に前面蓋３が開放及び閉じ合わされるため、前面蓋３内の導正構造に耐磨耗の材質を採用したとしても、スライド装置６００がなんどもスライドした後には、摩損により微粒子或いは粉塵が発生し得る。このため、内部のラッチ構造５００は洗浄する必要が生じる。上述により形成された閉じた領域により、洗浄液（たとえば水）が上方のラッチ孔３００２より注ぎ込まれ、並びに下方のラッチ孔３００２より排出され、注入された洗浄液は、ゴムストリップ３００７１の形成する閉じた領域により、前面蓋３のその他の領域に進入せず、これにより、前面蓋３の洗浄後の乾燥速度をアップし、また洗浄に比較的便利である。
【００３６】
続いて、図８を参照されたい。それは本発明の蓋板表示図である。図示されるように、蓋板３１０の辺縁上に、複数の蓋板ロール９００が設けられ、並びに蓋板ロール９００の後方に、係止構造９１０が配置される。
【００３７】
ケーシング３００の辺縁には、複数の、蓋板ロール９００に対応するロール溝３００９が配置され、並びにロール溝３００９の下方に、係止構造９１０に対応する係止溝３００９１が配置される。蓋板３１０とケーシング３００が結合される時、蓋板ロール９００はロール溝３００９中に置かれ、係止構造９１０は係止溝３００９１内に嵌入し、こうして蓋板３１０とケーシング３００が一体に嵌合される。蓋板ロール９００の作用は、キャリア本体２に前面蓋３が閉じ合わされる時、前面蓋３のキャリア本体２中へのスライドを補助し、不必要な衝突を防止することにある。
【００３８】
このほか、蓋板３１０上に一対の、ラッチ構造５００の制動部５００３に対応するロック孔３１０３があり、蓋板３１０とケーシング３００が一体に嵌合されている時、アンロック手段（図示せず）が、ロック孔３１０３より円形回転盤５００１の制動部５００３に挿入されることでアンロックされる。
【００３９】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４０】
Ｘ  位置
Ｙ  位置
Ｚ  位置
１  前面開放式ウエハーキャリア
２  キャリア本体
３  前面蓋
１０  上側面
１０７  挿入孔
１１  下側面
１２  右側面
１３  左側面
１４  後側面
１５  開口
１００  弾性制限構造
３００  ケーシング
３００１  ケーシング外表面
３００２  ラッチ孔
３００３  斜面エリア
３００４  辺壁
３００５  凹区域
３００６  ケーシング内表面
３００７  第２プラットフォーム
３００７１  ゴムストリップ
３００８  第１プラットフォーム
３００９  ロール溝
３００９１  係止溝
３１０  蓋板
３１０１  蓋板外表面
３１０３  ロック孔
５００  ラッチ構造
５００１  円形回転盤
５００１１  第１表面
５００１３  第２表面
５００２  回転部
５００３  制動部
５００４  牽引部材
５００５  スナップリング
６００  スライド装置
６００１  第１端
６００１１  フック状嵌合部
６００１３  スライド部
６００３  第２端
６００３１  挿入ラッチ
６００３３  ラッチロール
６００５  第１スライドロール
６００７  第２スライドロール
７００  第１導正構造
７００１  第１軌道
７００３  第１挟持板
７１０  第２導正構造
７１０１  第２軌道
７１０３  第２挟持板
８００  制限構造
８００１  制限軸
８００３  弾性制限フレーム
８００３１  固定部
８００３３  制限フレーム
８００５  スナップリング
９００  ロール
９１０  係止構造
【図１】
0005539466.tif 000002
【図２】
0005539466.tif 000003
【図３】
0005539466.tif 000004
【図４】
0005539466.tif 000005
【図５】
0005539466.tif 000006
【図６Ａ】
0005539466.tif 000007
【図６Ｂ】
0005539466.tif 000008
【図６Ｃ】
0005539466.tif 000009
【図７】
0005539466.tif 000010
【図８】
0005539466.tif 000011